(57)【要約】【課題】動画の撮影中に静止画の撮影される場合に、ユーザが、静止画の撮影の失敗を、静止画の撮影後速やかに認識できる、撮影機能を有する機器を提供する。【解決手段】携帯電話機１は、動画および静止画を撮影する撮影部２０と、動画撮影中に静止画を撮影するためのシャッター操作を含む操作を受け付けるタッチ検出部１４と、シャッター操作に基づいて静止画データを取得し、取得した静止画データを記憶部１２に記憶させる制御部１１と、を備える。制御部１１は、取得した静止画データが、撮影に失敗した静止画データであるか否かを判定し、取得した静止画データが、撮影に失敗した静止画データである場合に、静止画の撮影に失敗したことを画像出力部１３に報知させる。【選択図】図２
2015188136.tif 000002
【特許請求の範囲】
【請求項１】
動画および静止画を撮影する撮影部と、
動画撮影中に静止画を撮影するための所定の操作を含む操作を受け付ける操作受付部と、
前記所定の操作に基づいて静止画データを取得し、取得した静止画データを記憶部に記憶させる撮影制御部と、を備え、
前記撮影制御部は、
前記取得した静止画データが、撮影に失敗した静止画データであるか否かを判定し、
前記取得した静止画データが、前記撮影に失敗した静止画データである場合に、静止画の撮影に失敗したことを報知部に報知させる、
ことを特徴とする撮影機能を有する機器。
【請求項２】
請求項１に記載の撮影機能を有する機器において、
前記撮影制御部は、所定の失敗条件が満たされる場合に、前記取得した静止画データが前記撮影に失敗した静止画データであると判定し、
前記所定の失敗条件は、
前記所定の操作がなされたときの手ブレ量が所定の手ブレ閾値を超えること、
前記取得した静止画データによる静止画のブレ量が所定のブレ閾値を超えること、
前記取得した静止画データによる静止画のノイズ量が所定のノイズ閾値を超えること、
前記取得した静止画データによる静止画に含まれる人物の顔が正面を向いていないこと、および、
前記取得した静止画データによる静止画に含まれる人物の目が赤く写っていること、
との条件のうち、少なくとも一つの条件を含む、
ことを特徴とする撮影機能を有する機器。
【請求項３】
請求項１または２に記載の撮影機能を有する機器において、
画像を表示する表示部を、さらに備え、
前記撮影制御部は、
前記撮影に失敗した静止画データが取得されたタイミングに基づいて定められる撮影期間に含まれる、動画を構成する静止画フレームのデータの中から、撮影に失敗していない静止画データを少なくとも一つ抽出し、
抽出された静止画データによる静止画を前記表示部に表示させ、
前記撮影に失敗していない静止画データが保存の対象に選ばれると、当該静止画データを前記記憶部に記憶させる、
ことを特徴とする撮影機能を有する機器。
【請求項４】
請求項３に記載の撮影機能を有する機器において、
前記撮影制御部は、動画の撮影を終了させる操作が前記操作受付部により受け付けられたことに基づいて、前記撮影に失敗していない静止画データの抽出を開始する、
ことを特徴とする撮影機能を有する機器。
【請求項５】
請求項３に記載の撮影機能を有する機器において、
前記操作受付部は、前記表示部に対するタッチ操作を検出するタッチ検出部を含み、
前記撮影制御部は、前記取得した静止画データが、前記撮影に失敗した静止画データである場合に、前記撮影に失敗した静止画データに対応するオブジェクト画像を前記表示部に表示させ、前記オブジェクト画像に対するタッチ操作が前記タッチ検出部により検出されたことに基づいて、前記撮影に失敗していない静止画データの抽出を開始する、
ことを特徴とする撮影機能を有する機器。
【請求項６】
請求項３ないし５の何れか一項に記載の撮影機能を有する機器において、
前記撮影制御部は、前記撮影に失敗していない静止画データによる静止画とともに前記撮影に失敗した静止画データによる静止画を前記表示部に表示させ、前記撮影に失敗した静止画データが保存の対象に選ばれると、当該静止画データを前記記憶部に記憶させる、
ことを特徴とする撮影機能を有する機器。
【請求項７】
動画撮影中なされた、静止画を撮影するための所定の操作に基づいて静止画データを取得し、取得した静止画データを記憶部に記憶させる撮影制御方法であって、
前記取得した静止画データが、撮影に失敗した静止画データであるか否かを判定する判定ステップと、
前記取得した静止画データが、前記撮影に失敗した静止画データである場合に、静止画の撮影に失敗したことを報知部に報知させる報知ステップと、を含む、
ことを特徴とする撮影制御方法。
【請求項８】
動画および静止画を撮影する撮影部と、動画撮影中に静止画を撮影するための所定の操作を含む操作を受け付ける操作受付部と、を備える撮影機能を有する機器のコンピュータに、
前記所定の操作に基づいて静止画データを取得し、取得した静止画データを記憶部に記憶させる機能と、
前記取得した静止画データが、撮影に失敗した静止画データであるか否かを判定する機能と、
前記取得した静止画データが、前記撮影に失敗した静止画データである場合に、静止画の撮影に失敗したことを報知部により報知させる機能と、を付与する、
ことを特徴とするプログラム。
【発明の詳細な説明】
【技術分野】
【０００１】
本発明は、カメラ付き携帯電話機、カメラ付きＰＤＡ（Personal DigitalAssistant）、カメラ付きタブレットＰＣ（Tablet PC）、デジタルカメラ、デジタルビデオカメラ等の撮影機能を有する機器、特に、動画の撮影中に静止画の撮影を行うことできる、撮影機能を有する機器に関する。また、本発明は、かかる撮影機能を有する機器に適用できる撮影制御方法およびプログラムに関する。
【背景技術】
【０００２】
近年、携帯電話機等の携帯端末装置の処理性能が向上したことに伴い、動画および静止画を撮影可能な携帯端末装置において、動画の撮影中に静止画の撮影を行うことが可能なものが実現されている（特許文献１参照）。
【先行技術文献】
【特許文献】
【０００３】
【特許文献１】特開２００４−１５８９６７号公報
【発明の概要】
【発明が解決しようとする課題】
【０００４】
動画の撮影中に静止画が撮影される場合、ユーザが、静止画を撮影するときよりも手ぶれを防止する意識を持ちにくいため、手ぶれが生じやすい。また、動画の撮影は、動いている被写体に対して行われることが多いので、被写体の動きにより静止画にブレが生じやすい。即ち、ユーザは、動画の撮影中に静止画を撮影する場合、静止画の撮影に失敗しやすい。
【０００５】
動画中に静止画が撮影される場合、静止画が撮影された後も動画の撮影が継続されるので、ユーザは、撮影後直ちに撮影された静止画を確認することが難しい。このため、ユーザが静止画の撮影の失敗に気付くのは、多くの場合、動画の撮影が終了した後、ユーザが静止画をしっかりと確認したときとなる。よって、撮影の失敗を認識したときには、ユーザは、同様なシーンの静止画を再度、撮影することが難しい。
【０００６】
本発明は、動画の撮影中に静止画の撮影される場合に、ユーザが、静止画の撮影の失敗を、静止画の撮影後速やかに認識することができる、撮影機能を有する機器を提供することを目的とする。
【課題を解決するための手段】
【０００７】
本発明の第１の態様は、撮影機能を有する機器に関する。本態様に係る撮影機能を有する機器は、動画および静止画を撮影する撮影部と、動画撮影中に静止画を撮影するための所定の操作を含む操作を受け付ける操作受付部と、前記所定の操作に基づいて静止画データを取得し、取得した静止画データを記憶部に記憶させる撮影制御部と、を備える。前記撮影制御部は、前記取得した静止画データが、撮影に失敗した静止画データであるか否かを判定し、前記取得した静止画データが、前記撮影に失敗した静止画データである場合に、静止画の撮影に失敗したことを報知部に報知させる。
【０００８】
本態様に係る撮影機能を有する機器において、前記撮影制御部は、所定の失敗条件が満たされる場合に、前記取得した静止画データが前記撮影に失敗した静止画データであると判定する構成とされ得る。この場合、前記所定の失敗条件は、前記所定の操作がなされたときの手ブレ量が所定の手ブレ閾値を超えること、前記取得した静止画データによる静止画のブレ量が所定のブレ閾値を超えること、前記取得した静止画データによる静止画のノイズ量が所定のノイズ閾値を超えること、前記取得した静止画データによる静止画に含まれる人物の顔が正面を向いていないこと、および、前記取得した静止画データによる静止画に含まれる人物の目が赤く写っていること、との条件のうち、少なくとも一つの条件を含む。
【０００９】
本態様に係る撮影機能を有する機器は、画像を表示する表示部を、さらに備える構成とされ得る。この場合、前記撮影制御部は、前記撮影に失敗した静止画データが取得されたタイミングに基づいて定められる撮影期間に含まれる、動画を構成する静止画フレームのデータの中から、撮影に失敗していない静止画データを少なくとも一つ抽出し、抽出された静止画データによる静止画を前記表示部に表示させ、前記撮影に失敗していない静止画データが保存の対象に選ばれると、当該静止画データを前記記憶部に記憶させる。
【００１０】
上記の構成とされた場合、さらに、前記撮影制御部は、動画の撮影を終了させる操作が前記操作受付部により受け付けられたことに基づいて、前記撮影に失敗していない静止画データの抽出を開始する構成とされ得る。
【００１１】
または、上記の構成とされた場合、前記操作受付部は、前記表示部に対するタッチ操作を検出するタッチ検出部を含む構成とされ得る。この場合、前記撮影制御部は、前記取得した静止画データが、前記撮影に失敗した静止画データである場合に、前記撮影に失敗した静止画データに対応するオブジェクト画像を前記表示部に表示させ、前記オブジェクト画像に対するタッチ操作が前記タッチ検出部により検出されたことに基づいて、前記撮影に失敗していない静止画データの抽出を開始する。
【００１２】
さらに、上記の構成とされた場合、前記撮影制御部は、前記撮影に失敗していない静止画データによる静止画とともに前記撮影に失敗した静止画データによる静止画を前記表示部に表示させ、前記撮影に失敗した静止画データが保存の対象に選ばれると、当該静止画データを前記記憶部に記憶させる構成とされ得る。
【００１３】
本発明の第２の態様は、動画撮影中なされた、静止画を撮影するための所定の操作に基づいて静止画データを取得し、取得した静止画データを記憶部に記憶させる撮影制御方法に関する。本態様に係る撮影制御方法は、前記取得した静止画データが、撮影に失敗した静止画データであるか否かを判定する判定ステップと、前記取得した静止画データが、前記撮影に失敗した静止画データである場合に、静止画の撮影に失敗したことを報知部に報知させる報知ステップと、を含む。
【００１４】
本発明の第３の態様は、動画および静止画を撮影する撮影部と、動画撮影中に静止画を撮影するための所定の操作を含む操作を受け付ける操作受付部と、を備える撮影機能を有する機器のコンピュータに適用されるプログラムに関する。本態様に係るプログラムは、前記撮影機能を有する機器のコンピュータに、前記所定の操作に基づいて静止画データを取得し、取得した静止画データを記憶部に記憶させる機能と、前記取得した静止画データが、撮影に失敗した静止画データであるか否かを判定する機能と、前記取得した静止画データが、前記撮影に失敗した静止画データである場合に、静止画の撮影に失敗したことを報知部により報知させる機能と、を付与する。
【発明の効果】
【００１５】
本発明によれば、動画の撮影中に静止画の撮影される場合に、ユーザが、静止画の撮影の失敗を、静止画の撮影後速やかに認識することができる。
【００１６】
本発明の効果ないし意義は、以下に示す実施の形態の説明によりさらに明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００１７】
【図１】実施の形態に係る、携帯電話機の構成を示す図である。
【図２】実施の形態に係る、携帯電話機の全体構成を示すブロック図である。
【図３】実施の形態に係る、ホーム画面が表示されたディスプレイを示す図である。
【図４】実施の形態に係る、カメラのアプリケーションにおいてディスプレイに表示される撮影画面を示す図である。
【図５】実施の形態に係る、同時撮影機能の制御処理を示すフローチャートである。
【図６】実施の形態に係る、同時撮影機能の制御処理に含まれる画像提示処理を示すフローチャートである。
【図７】実施の形態に係る、動画の撮影中に静止画が撮影される場合の静止画データの生成方法について説明するための図である。
【図８】実施の形態に係る、同時撮影機能が実行されたときにディスプレイに表示される画面の表示例を示す図である。
【図９】変更例に係る、同時撮影機能の制御処理を示すフローチャートである。
【図１０】変更例に係る、同時撮影機能の制御処理が実行されたときにディスプレイに表示される画面の表示例を示す図である。
【図１１】変更例に係る、通知バーに対する操作に基づいて画像提示処理が実行される機能について説明するための図である。
【図１２】その他の変更例に係る、同時撮影機能について説明するための図である。
【図１３】その他の変更例に係る、画像提示機能の制御処理を示すフローチャートである。
【発明を実施するための形態】
【００１８】
以下、本発明の実施の形態について、図面を参照して説明する。
【００１９】
図１（ａ）ないし（ｃ）は、それぞれ、携帯電話機１の正面図、背面図および右側面図である。以下、説明の便宜上、図１（ａ）ないし（ｃ）に示すように、キャビネット２の長手方向を上下方向と定義し、キャビネット２の短手方向を左右方向と定義する。さらに、これら上下方向および左右方向に垂直な方向を前後方向と定義する。
【００２０】
図１（ａ）ないし（ｃ）に示されるように、携帯電話機１は、キャビネット２と、ディスプレイ３と、タッチパネル４と、マイクロフォン５と、通話スピーカ６と、外部スピーカ７と、カメラ８とを含む。
【００２１】
キャビネット２は、正面から見て、ほぼ長方形の輪郭を有する。キャビネット２の正面側に、ディスプレイ３が配されている。ディスプレイ３には、各種の画像（画面）が表示される。ディスプレイ３は、液晶ディスプレイであり、液晶パネルと、液晶パネルを照明するＬＥＤバックライトを含む。ディスプレイ３は、有機ＥＬディスプレイ等、他の種類のディスプレイであってもよい。さらに、ディスプレイ３を覆うように、タッチパネル４が配置されている。タッチパネル４は、透明なシート状に形成されている。タッチパネル４として、静電容量式、超音波式、感圧式、抵抗膜式、光検知式等、各種方式のタッチパネルが用いられ得る。
【００２２】
キャビネット２の内部には、下端部にマイクロフォン５が配されている。また、キャビネット２の内部には、上端部に通話スピーカ６が配されている。マイクロフォン５は、キャビネット２の正面に形成されたマイク孔５ａを通過した音声を受け付ける。マイクロフォン５は、入力された音に応じた電気信号を生成する。通話スピーカ６は、音を出力する。出力された音は、キャビネット２の正面に形成された出力孔６ａを通過してキャビネット２の外に放出される。通話の際には、通信先の機器（携帯電話機等）から受信された受話音声が通話スピーカ６から出力され、ユーザが発した発話音声がマイクロフォン５に入力される。なお、音は、音声、報知音等、様々な音を含む。
【００２３】
キャビネット２の内部には、外部スピーカ７が配されている。キャビネット２の背面には、外部スピーカ７と対向する領域に出力孔７ａが形成されている。外部スピーカ７から出力された音は、出力孔７ａを通過してキャビネット２の外に放出される。
【００２４】
キャビネット２の上部には、背面側にカメラ８が配されている。カメラ８は、携帯電話機１の背面方向に存在する撮影対象を撮影する。カメラ８は、ＣＣＤ、ＣＭＯＳセンサ等の撮像素子と、撮影対象の像を撮像素子に結像させるレンズとを含む。
【００２５】
図２は、携帯電話機１の全体構成を示すブロック図である。
【００２６】
図２に示されるように、携帯電話機１は、制御部１１と、記憶部１２と、画像出力部１３と、タッチ検出部１４と、音声入力部１５と、音声出力部１６と、音声処理部１７と、キー入力部１８と、通信部１９と、撮影部２０と、加速度検出部２１とを含む。
【００２７】
記憶部１２は、ＲＯＭ、ＲＡＭ、外部メモリを含む。記憶部１２には、各種のプログラムが記憶されている。記憶部１２に記憶されるプログラムは、携帯電話機１の各部を制御するための制御プログラムの他、各種アプリケーションプログラム（以下、単に「アプリケーション」と称する）、たとえば、電話、メッセージ、カメラ、ウェブブラウザ、地図、ゲーム、スケジュール管理、等のアプリケーションを含む。さらに、記憶部１２に記憶されるプログラムは、後述する、同時撮影機能の制御処理を実行するためのプログラムを含む。プログラムは、メーカによって携帯電話機１の製造時に記憶部１２に記憶される他、通信網やメモリカード、ＣＤ−ＲＯＭ等の記憶媒体を介して記憶部１２に記憶される。
【００２８】
記憶部１２には、プログラムの実行の際、一時的に利用または生成されるデータを記憶するワーキング領域も含まれる。
【００２９】
記憶部１２は、撮影部２０から送られてくる動画データおよび静止画データをそれぞれ記憶する動画記憶部１２ａおよび静止画記憶部１２ｂを備える。
【００３０】
制御部１１は、ＣＰＵを含む。制御部１１は、記憶部１２に記憶されたプログラムに従って、携帯電話機１を構成する各部（記憶部１２、画像出力部１３、タッチ検出部１４、音声入力部１５、音声出力部１６、音声処理部１７、キー入力部１８、通信部１９、撮影部２０、加速度検出部２１等）を制御する。
【００３１】
画像出力部１３は、図１（ａ）に示すディスプレイ３を含む。画像出力部１３は、制御部１１からの制御信号と画像信号に基づき、ディスプレイ３に画像（画面）を表示する。また、画像出力部１３は、制御部１１からの制御信号に応じて、ディスプレイ３の点灯、消灯および輝度の調整を行う。
【００３２】
タッチ検出部１４は、図１（ａ）に示すタッチパネル４を含み、タッチパネル４に対するタッチ操作を検出する。より具体的には、タッチ検出部１４は、タッチパネル４に対する、ユーザの指などの接触対象が接触する位置（以下、「タッチ位置」と称する）を検出する。タッチ検出部１４は、検出したタッチ位置に基づいて生成された位置信号を制御部１１へ出力する。タッチパネル４に対するタッチ操作は、ディスプレイ３に表示される画面やオブジェクトを対象として行われるものであり、ディスプレイ３に対するタッチ操作である、と言い換えることができる。
【００３３】
なお、タッチ検出部１４は、ユーザの指がディスプレイ３、すなわち、タッチパネル４に近接したときに、指が近接した位置をタッチ位置として検出する構成であってもよい。たとえば、タッチ検出部１４のタッチパネル４が、静電容量式である場合、指がタッチパネル４に近接したときに静電容量の変化が検出閾値を超えるように、その感度が調整される。また、タッチパネル４を含むキャビネット２の正面が、ガラス等で構成される透明なカバーで覆われる場合、タッチパネル４へ触れようとする指はタッチパネル４でなくカバーに接触する。この場合、タッチパネル４は、指がカバーに接触したとき、あるいはカバーに近接したときにタッチ位置を検出する。
【００３４】
ユーザは、タッチパネル４が設けられることにより、タッチパネル４に指を触れるあるいは近接させることにより、ディスプレイ３に対し様々なタッチ操作を行うことができる。タッチ操作は、たとえば、タップ操作、フリック操作、スライド操作等を含む。タップ操作とは、ユーザがタッチパネル４に指を接触あるいは近接させた後、短時間のうちに指をタッチパネル４から離す操作である。フリック操作とは、ユーザがタッチパネル４に指を接触あるいは近接させた後、タッチパネル４を指で任意の方向に弾くあるいは掃う操作である。スライド操作とは、ユーザがタッチパネル４に指を接触あるいは近接させたまま、任意の方向へ指を移動させる操作である。
【００３５】
たとえば、タッチ検出部１４がタッチ位置を検出した場合に、タッチ位置が検出されてから予め定められた第１時間以内にタッチ位置が検出されなくなると、制御部１１は、タッチ操作をタップ操作と判定する。タッチ位置が検出されてから予め定められた第２時間以内に予め定められた第１距離以上タッチ位置が移動した後、タッチ位置が検出されなくなった場合、制御部１１は、タッチ操作をフリック操作と判定する。タッチ位置が検出された後、予め定めた第２距離以上タッチ位置が移動すると、制御部１１は、タッチ操作をスライド操作と判定する。
【００３６】
音声入力部１５は、マイクロフォン５を含む。音声入力部１５は、マイクロフォン５からの電気信号を音声処理部１７へ出力する。
【００３７】
音声出力部１６は、通話スピーカ６および外部スピーカ７を含む。音声出力部１６には、音声処理部１７からの電気信号が入力される。音声出力部１６は、通話スピーカ６または外部スピーカ７から音を出力させる。
【００３８】
音声処理部１７は、音声入力部１５からの電気信号にＡ／Ｄ変換等を施し、変換後のデジタルの音声信号を制御部１１へ出力する。音声処理部１７は、制御部１１からのデジタルの音声信号にデコード処理およびＤ／Ａ変換等を施し、変換後の電気信号を音声出力部１６に出力する。
【００３９】
キー入力部１８は、少なくとも１つ以上のハードキーを含む。たとえば、キー入力部１８は、携帯電話機１に電源を投入するための電源キー等を含む。キー入力部１８は、押下されたハードキーに対応する信号を制御部１１に出力する。
【００４０】
通信部１９は、通話や通信を行うため、信号を変換するための回路、電波を送受信するアンテナ等を含む。通信部１９は、制御部１１から入力される通話や通信のための信号を無線信号に変換し、変換された無線信号を、アンテナを介して基地局や他の通信装置等の通信先へ送信する。さらに、通信部１９は、アンテナを介して受信した無線信号を制御部１１が利用できる形式の信号へ変換し、変換された信号を制御部１１へ出力する。
【００４１】
撮影部２０は、図１（ｂ）に示すカメラ８、撮像制御回路などを含む。撮影部２０は、制御部１１からの制御信号に従って動画または静止画を撮影し、撮影された動画の動画データまたは静止画の静止画データに各種の画像処理およびエンコード処理を施し、処理後の動画データまたは静止画データを制御部１１に出力する。
【００４２】
加速度検出部２１は、３軸加速度センサを含む。３軸加速度センサは、携帯電話機１の前後方向、上下方向および左右方向の３方向に生じる加速度を検出する。加速度検出部２１は、３軸加速度センサが検出した加速度を示す加速度信号を制御部１１に出力する。
【００４３】
図３は、ホーム画面１０１が表示されたディスプレイ３を示す図である。
【００４４】
携帯電話機１では、種々の画面がディスプレイ３に表示され、画面上においてユーザにより種々のタッチ操作がなされる。たとえば、初期画面として、ホーム画面１０１がディスプレイ３に表示される。図３に示すように、ホーム画面１０１は、各種のアプリケーションを起動するための起動用アイコン１０１ａを含む。起動用アイコン１０１ａには、たとえば、電話アイコン１０１ｂ、カメラアイコン１０１ｃ、メールアイコン１０１ｄ等が含まれる。
【００４５】
ディスプレイ３には、ホーム画面１０１の他に、通知バー１０２および操作キー群１０３が表示される。通知バー１０２は、ディスプレイ３に表示されたホーム画面１０１の上方に表示される。通知バー１０２は、現在時刻、バッテリー残量を示す残量メータ、電波の強度を示す強度メータ等を含む。操作キー群１０３は、ホーム画面１０１の下方に表示される。操作キー群１０３は、設定キー１０３ａ、ホームキー１０３ｂおよびバックキー１０３ｃから構成されている。設定キー１０３ａは、主に、各種設定を行う設定画面をディスプレイ３に表示させるためのキーである。ホームキー１０３ｂは、主に、ディスプレイ３の表示を他の画面からホーム画面１０１に移行させるためのキーである。バックキー１０３ｃは、主に、実行された処理を１ステップ前の処理に戻すためのキーである。
【００４６】
各種アプリケーションを利用する場合、ユーザは、利用するアプリケーションに対応する起動用アイコン１０１ａに対してタップ操作を行う。アプリケーションが起動されて、アプリケーションに基づく実行画面が表示される。なお、実行されたアプリケーションの実行画面が表示されても、あるいは、アプリケーションの進行に伴って実行画面が遷移しても、通知バー１０２は、ディスプレイ３に表示され続ける。
【００４７】
さて、ホーム画面１０１において、ユーザが、カメラアイコン１０１ｃに対するタップ操作を行うと、カメラのアプリケーションが起動する。カメラのアプリケーションは、撮影部２０により動画の撮影と静止画の撮影とを行うことができるアプリケーションである。
【００４８】
図４（ａ）ないし（ｃ）は、カメラのアプリケーションにおいてディスプレイ３に表示される撮影画面１０４を示す図である。図４（ａ）は、ディスプレイ３に、スルー画像１０４ａを含む撮影画面１０４が表示された状態を示す。図４（ｂ）は、ディスプレイ３に、撮影された静止画１０４ｂを含む撮影画面１０４が表示された状態を示す。図４（ｃ）は、ディスプレイ３に、撮影中の動画１０４ｃを含む撮影画面１０４が表示された状態を示す。
【００４９】
カメラのアプリケーションが起動すると、ディスプレイ３に撮影画面１０４が表示される。動画の撮影が開始されていないとき、図４（ａ）に示すように、ディスプレイ３には、撮影画面１０４として、撮影部２０が現在撮影している画像であるスルー画像１０４ａ、静止画を撮影するためのシャッターアイコン１０５および動画の撮影を開始するための録画アイコン１０６が表示される。スルー画像１０４ａは、録画される動画に比べて、フレームレートが大幅に小さくおよび画質が大幅に低い動画である。シャッターアイコン１０５に対するタッチ操作がシャッター操作となり、録画アイコン１０６に対するタッチ操作が撮影開始操作となる。
【００５０】
シャッター操作がなされると、撮影部２０により静止画が撮影され、撮影部２０から制御部１１に静止画データが出力される。制御部１１は、取得した静止画データを静止画記憶部１２ｂに記憶する。図４（ｂ）に示すように、ディスプレイ３には、静止画の撮影直後の一定時間、スルー画像１０４ａに替わり、撮影された静止画１０４ｂが表示される。一定時間経過後は、図４（ａ）に示すように、ディスプレイ３に再びスルー画像１０４ａが表示される。
【００５１】
撮影開始操作がなされると、撮影部２０により動画が撮影され、撮影部２０から制御部１１に動画データが出力される。制御部１１は、取得した動画データを動画記憶部１２ａに記憶する。図４（ｃ）に示すように、ディスプレイ３には、スルー画像１０４ａに替わり、撮影中の動画１０４ｃが表示される。さらに、ディスプレイ３には、録画アイコン１０６に替わり、動画の撮影を停止するための停止アイコン１０７が表示される。停止アイコン１０７に対するタッチ操作が撮影停止操作となる。
【００５２】
動画撮影中に撮影停止操作がなされると、撮影部２０による動画の撮影が停止し、撮影部２０から制御部１１への動画データの出力が停止する。図４（ａ）に示すように、ディスプレイ３には、再びスルー画像１０４ａおよび録画アイコン１０６が表示される。
【００５３】
さて、カメラのアプリケーションには、動画撮影中に静止画を撮影することができる機能（以下、「同時撮影機能」と称する）が含まれ得る。
【００５４】
動画の撮影中に静止画が撮影される場合には、ユーザは、静止画を撮影するときよりも手ぶれを防止する意識を持ちにくいため、手ぶれが生じやすい。また、被写体の動きによる静止画のブレが生じやすい。このように、ユーザは、動画の撮影中に静止画を撮影する場合、静止画の撮影に失敗しやすい。この場合、ユーザは、静止画が撮影された直後に、その撮影が失敗したことを認識できれば、直ちに撮影し直すことが可能となる。
【００５５】
そこで、本実施の形態では、ユーザが、静止画の撮影の失敗を、静止画の撮影後速やかに認識することが可能となる同時撮影機能が提供される。以下、本実施の形態における同時撮影機能について説明する。
【００５６】
図５は、同時撮影機能の制御処理を示すフローチャートである。図６は、同時撮影機能の制御処理に含まれる画像提示処理を示すフローチャートである。図７は、動画の撮影中に静止画が撮影される場合の静止画データの生成方法について説明するための図である。図８（ａ）ないし（ｄ）は、同時撮影機能が実行されたときにディスプレイ３に表示される画面の表示例を示す図である。
【００５７】
動画の撮影が開始されると、制御部１１は、動画データを記憶する処理と並行して、同時撮影機能の制御処理を行う。
【００５８】
図５を参照して、制御部１１は、シャッター操作がなされたか否かを監視する（Ｓ１０１）。シャッター操作がなされると（Ｓ１０１：ＹＥＳ）、制御部１１は、撮影中の動画の動画データから静止画データの切り出しを行う（Ｓ１０２）。
【００５９】
動画は、フレームレートに基づく間隔で連続する複数の静止画フレームにより構成される。図７に示すように、エンコード後に撮影部２０から出力される動画データは、静止画フレームの全体データからなる基準フレームデータと、２つの静止画フレーム間の全体データの差分からなる差分フレームデータとにより構成される。２つの基準フレームデータの間に複数の差分フレームデータが配される。
【００６０】
図７の実線矢印で示すように、シャッター操作がなされたタイミング、即ち、シャッタータイミングが、制御部１１が基準フレームデータを取得したタイミングである場合、制御部１１は、動画データから、シャッタータイミングにおける基準フレームデータを、静止画データとして切り出す。一方、図７の破線矢印で示すように、シャッタータイミングが、制御部１１が差分フレームデータを取得したタイミングである場合、制御部１１は、動画データから、シャッタータイミングにおける差分フレームデータに最も近い基準フレームデータを、静止画データとして切り出す。即ち、制御部１１は、シャッタータイミングに最も近い基準フレームデータを、静止画データとして切り出す。
【００６１】
２つの基準フレームの時間間隔は、数十ｍＳから数百ｍｓ程度と極めて短く、シャッタータイミングが、差分フレームデータの取得タイミングであっても、切り出された基準フレームデータは、シャッタータイミングにおける静止画データであると看做すことができる。なお、シャッタータイミングが、差分フレームデータの取得タイミングである場合に、そのタイミングにおける静止画フレームの全体データが、基準フレームデータと差分データとから生成され、静止画データとして切り出されても良い。
【００６２】
このようにして動画データから静止画データが切り出されると、制御部１１は、切り出しにより取得した静止画データが、撮影に失敗した静止画データ（以下、「失敗データ」と称する）であるか否かを判定する（Ｓ１０３）。失敗データであるか否かの判定は、撮影が失敗したと看做すための所定の失敗条件を満たすか否かにより行われる。
【００６３】
上述のように、動画の撮影中は、手ブレの防止にユーザの意識が向きにくいため、手ブレが生じやすい。そこで、たとえば、失敗条件を、シャッター操作が行われたときの手ブレ量が、予め定められた手ブレ閾値を超えること（失敗条件１）、とすることができる。この場合、たとえば、制御部１１は、動画の撮影中に携帯電話機１に生じた加速度を加速度検出部２１により検出する。手ブレ量が多いほど携帯電話機１に生じる加速度が大きくなるため、制御部１１は、加速度検出部２１により検出された加速度が、手ブレ閾値に相当する加速度閾値を超えた場合に、手ブレ量が手ブレ閾値を超えたと判定する。
【００６４】
また、動画の撮影時には、被写体に動きがあることが多く、静止画がブレやすい。そこで、失敗条件を、取得した静止画データによる静止画のブレ量が予め定められたブレ閾値を超えること（失敗条件２）、とすることができる。この場合、制御部１１は、静止画の画像解析処理を行うことにより、静止画のブレ量を求める。
【００６５】
さらに、動画の撮影が暗い環境下で行われた場合には、光量不足により、静止画にノイズが生じやすい。そこで、失敗条件を、取得した静止画データによる静止画のノイズ量が予め定められたノイズ閾値を超えること（失敗条件３）、とすることができる。この場合、制御部１１は、静止画の画像解析処理を行うことにより、静止画のノイズ量を求める。
【００６６】
さらに、動画の撮影中に、撮影された人物の顔を静止画に収めようとする場合、人物の顔がうまく正面を向かないことが多い。そこで、失敗条件を、取得した静止画データによる静止画に含まれる人物の顔が正面を向いていないこと（失敗条件４）、とすることができる。この場合、制御部１１は、静止画に対して顔認証処理を行うことにより、顔の向きを求める。
【００６７】
さらに、動画の撮影中に、撮影された人物の顔を静止画に収めようとする場合、人物の目が赤く写ってしまうことが多い。そこで、失敗条件を、取得した静止画データによる静止画に含まれる人物の目が赤く写っていること（失敗条件５）、とすることができる。この場合、制御部１１は、静止画に対して顔認証処理を行うことにより、人物の目の色を求める。
【００６８】
上記失敗条件１ないし失敗条件５の何れか一つが、ステップＳ１０３の判定に用いられても良く、何れかの複数の条件あるいは全ての条件が、ステップＳ１０３の判定に用いられても良い。用いられた失敗条件が一つの場合には、その失敗条件が満たされた場合に、また、用いられた失敗条件が複数の場合には、何れかの失敗条件が満たされた場合に、制御部１１は、取得した静止画データが失敗データであると判定する。
【００６９】
取得した静止画データが失敗データでない場合（Ｓ１０３：ＮＯ）、制御部１１は、取得した静止画データを、静止画記憶部１２ｂに記憶させる（Ｓ１０４）。この際、記憶される静止画データには、静止画データが取得された時刻、即ち、シャッター操作がなされた時刻を示す撮影時刻情報、および、撮影中の動画を識別するための識別情報、たとえば、動画のファイル名が付加される。
【００７０】
一方、取得した静止画データが失敗データである場合（Ｓ１０３：ＹＥＳ）、制御部１１は、撮影に失敗したことを外部に報知する（Ｓ１０４）。たとえば、図８（ａ）に示すように、制御部１１は、画像出力部１３を制御し、ディスプレイ３に、撮影画面１０４に重なるように、撮影の失敗を表す文章からなる通知ウィンドウ１０８を表示させる（Ｓ１０５）。そして、制御部１１は、取得した静止画データ、即ち、失敗データを、静止画記憶部１２ｂに記憶させる（Ｓ１０６）。この際、失敗データには、撮影時刻情報および識別情報に加えて、撮影に失敗を示す失敗タグ情報が付加される。
【００７１】
こうして、動画の撮影中、シャッター操作が行われる度に、制御部１１は、ステップＳ１０２ないしステップＳ１０６の処理を繰り返す。
【００７２】
制御部１１は、動画の撮影が終了した否かを監視する（Ｓ１０７）。撮影停止操作がなされ、この操作に基づいて動画の撮影が終了すると（Ｓ１０７：ＹＥＳ）、制御部１１は、静止画記憶部１２ｂを参照することにより、今回の動画撮影中に取得された静止画データの中に、失敗タグ情報が付加された静止画データ、即ち、失敗データがあるか否かを判定する（Ｓ１０８）。失敗データがなければ（Ｓ１０８：ＮＯ）、制御部１１は、同時撮影機能の制御処理を終了する。一方、失敗データがあれば（Ｓ１０８：ＹＥＳ）、制御部１１は、画像提示処理を実行する（Ｓ１０９）。
【００７３】
画像提示処理は、撮影に失敗した静止画データと撮影時刻が近い、撮影に失敗していない静止画データを動画データから抽出し、抽出した静止画データを、候補データとしてユーザに提示するとともに、ユーザによって選択された候補データを、静止画記憶部１２ｂに記憶させる処理である。
【００７４】
図６を参照して、制御部１１は、静止画記憶部１２ｂから失敗データを読み出す（Ｓ２０１）。さらに、制御部１１は、動画記憶部１２ａから、失敗データに対応付けられた識別情報を有する動画データを読み出し、読み出した動画データから候補データを抽出する（Ｓ２０２）。即ち、制御部１１は、読み出した動画データを構成する基準フレームデータ中から、失敗データ係る撮影時刻の前後所定時間で規定される抽出撮影期間に含まれ、且つ、失敗条件を満たさない基準フレームデータを、候補データとして抽出する。
【００７５】
失敗条件として、上述した失敗条件１が用いられ、失敗データが失敗条件１を満たすような場合、制御部１１は、失敗条件１を満たさない基準フレームデータ、即ち、その基準フレームデータが撮影部２０から出力されたときの手ブレ量が手ブレ閾値を超えない基準フレームデータを、候補データとして抽出する。また、失敗条件として、失敗条件２が用いられ、失敗データが失敗条件２を満たすような場合、制御部１１は、失敗条件２を満たさない基準フレームデータ、即ち、その基準フレームデータによる静止画のブレ量がブレ閾値を超えない基準フレームデータを、候補データとして抽出する。さらに、失敗条件として、失敗条件３が用いられ、失敗データが失敗条件３を満たすような場合、制御部１１は、失敗条件３を満たさない基準フレームデータ、即ち、その基準フレームデータによる静止画のノイズ量がノイズ閾値を超えない基準フレームデータを、候補データとして抽出する。さらに、失敗条件として、失敗条件４が用いられ、失敗データが失敗条件４を満たすような場合、制御部１１は、失敗条件４を満たさない基準フレームデータ、即ち、その基準フレームデータによる静止画に含まれる人物の顔が正面を向いている基準フレームデータを、候補データとして抽出する。さらに、失敗条件として、失敗条件５が用いられ、失敗データが失敗条件５を満たすような場合、制御部１１は、失敗条件５を満たさない基準フレームデータ、即ち、その基準フレームデータによる静止画に含まれる人物の目が赤く写っていない基準フレームデータを、候補データとして抽出する。
【００７６】
なお、失敗条件１、失敗条件２または失敗条件３が用いられる場合、さらに高品質な候補データを抽出するため、手ブレ量、ブレ量またはノイズ量が、手ブレ閾値、ブレ閾値またはノイズ閾値より低い閾値を超えない候補データが抽出される構成が採られても良い。また、抽出される候補データの個数が制限される場合には、失敗データに係る撮影時刻に近い候補データを優先するような構成が採られると良い。さらに、候補データが一つも抽出されない場合には、抽出撮影期間を拡げるような構成が採られると良い。
【００７７】
このようにして候補データが抽出されると、制御部１１は、ディスプレイ３に画像提示画面１０９を表示させる（Ｓ２０３）。図８（ｂ）に示すように、画像提示画面１０９は、失敗データによる、サムネイル形式の静止画１１０（以下、「原画像１１０」と称する）、および、候補データによるサムネイル形式の静止画１１１（以下、「候補画像１１１」と称する）を含む。また、画像提示画面１０９は、原画像１１０および候補画像１１１に対応するチェックボックス１１２を含む。さらに、画像提示画面１０９は、決定アイコン１１３、取消アイコン１１４、送りアイコン１１５および戻しアイコン１１６の４つの操作アイコンを含む。なお、画像提示画面１０９では、原画像１１０と候補画像１１１とがユーザに明確に区別されるよう、原画像１１０のサイズが候補画像１１１のサイズより大きくされている。原画像１１０と候補画像１１１とを区別するために、他の方法、たとえば、原画像１１０と候補画像１１１とを色の異なる枠で囲むような方法が採られても良い。
【００７８】
制御部１１は、失敗データおよび候補データ（１つまたは複数）の中から何れかの静止画データを選択する選択操作がなされたか否かを判定する（Ｓ２０４）。選択操作は、何れかのチェックボックス１１２に対するタッチ操作とされる。タッチ操作がなされたチェックボックス１１２にチェックマークが入り、これまでチェックが入っていたチェックボックス１１２からチェックマークが消える。選択操作がなされると（Ｓ２０４：ＹＥＳ）、制御部１１は、選択された静止画データを保存の対象となる保存対象データに設定する（Ｓ２０５）。なお、画像提示画面１０９が最初に表示された際には、原画像１１０に対応するチェックボックス１１２にチェックマークが入っており、失敗データが保存対象データに設定されている。
【００７９】
制御部１１は、操作アイコン１１３〜１１６に対するタッチ操作がなされたか否かを判定する（Ｓ２０６）。操作アイコン１１３〜１１６に対するタッチ操作がなされない場合（Ｓ２０６：ＮＯ）、制御部１１は、原画像１１０または候補画像１１１を拡大するための拡大操作がなされたか否かを判定する（Ｓ２０７）。たとえば、原画像１１０または候補画像１１１に対するタップ操作が、拡大操作とされる。
【００８０】
拡大操作がなされると（Ｓ２０７：ＹＥＳ）、制御部１１は、図８（ｃ）に示すように、タッチ操作がなされた画像の拡大画像１１７を、画像提示画面１０９に重ねるようにして、ディスプレイ３に表示させる（Ｓ２０８）。そして、拡大画像１１７に含まれる閉鎖アイコン１１８に対してタッチ動作がなされると（Ｓ２０９：ＹＥＳ）、制御部１１は、拡大画像１１７を消去する（Ｓ２１０）。
【００８１】
何れかの操作アイコン１１３〜１１６に対してタッチ操作がなされると（Ｓ２０６：ＹＥＳ）、制御部１１は、何れの操作アイコンに対してタッチ操作がなされたかを判定する（Ｓ２１１）。決定アイコン１１３に対してタッチ操作がなされた場合（２１１：決定）、制御部１１は、ステップＳ２０５で設定された保存対象データを、失敗データに替えて、静止画記憶部１２ｂに記憶させる（Ｓ２１２）。このとき、保存対象データは、撮影時刻情報および動画の識別情報が付加された状態で記憶される。なお、ユーザは、失敗データを、候補データに置き換える必要がない場合、失敗データを保存対象データに設定したままする。この状態で、決定アイコン１１３に対するタッチ操作がなされると、制御部１１は、失敗タグ情報を外して、再度、失敗データを静止画記憶部１２ｂに記憶させる。これにより、記憶された静止画データは、失敗データでなくなる。
【００８２】
次に、制御部１１は、静止画記憶部１２ｂを参照し、同じ動画の撮影中に撮影された、失敗データが残っているか否かを判定する（Ｓ２１３）。失敗データが残っていいない場合（Ｓ２１３：ＮＯ）、制御部１１は、画像提示処理を終了し、同時撮影機能の制御処理に戻って、当該制御処理を終了する。ディスプレイ３の表示が、スルー画像１０４ａが含まれる撮影画面１０４に戻る。
【００８３】
一方、失敗データが残っている場合（Ｓ２１３：ＹＥＳ）、制御部１１は、次の失敗データを静止画記憶部１２ｂから読み出すとともに（Ｓ２１４）、次の失敗データに対応する次の候補データを動画データから抽出する（Ｓ２１５）。送りアイコン１１５に対してタッチ操作がなされた場合も（Ｓ２１１：送り）、制御部１１は、次の失敗データの読出および次の候補データの抽出を行う（Ｓ２１４、Ｓ２１５）。そして、制御部１１は、次の失敗データによる原画像１１０と次の候補データによる候補画像１１１が含まれるよう、画像提示画面１０９の表示を更新する（Ｓ２０３）。
【００８４】
戻しアイコン１１６に対するタッチ操作がなされた場合（Ｓ２１１：戻し）、制御部１１は、前の失敗データを静止画記憶部１２ｂから読み出すとともに（Ｓ２１６）、前の失敗データに対応する前の候補データを動画データから抽出する（Ｓ２１７）。そして、制御部１１は、前の失敗データによる原画像１１０と前の候補データによる候補画像１１１が含まれるよう、画像提示画面１０９の表示を更新する（Ｓ２０３）。
【００８５】
なお、次の失敗データがない場合には、現在の失敗データに関する画像提示画面１０９に、送りアイコン１１５が含まれない。同様に、前の失敗データがない場合には、現在の失敗データに関する画像提示画面１０９に、戻しアイコン１１６が含まれない。
【００８６】
取消アイコン１１４に対してタッチ操作がなされた場合（２１１：取消）、制御部１１は、画像提示処理を終了し、同時撮影機能の制御処理に戻って、当該制御処理を終了する。この場合、失敗データが残った状態で、同時撮影機能の制御処理が終了する。
【００８７】
失敗データが残った状態で、同時撮影機能の制御処理が終了した場合、制御部１１は、図８（ｄ）に示すように、失敗データがあることを示す失敗アイコン１１９を、撮影画面１０４に含める。そして、失敗アイコン１１９に対してタッチ操作がなされると、制御部１１は、再び、画像提示処理を実行する。
【００８８】
以上、本実施の形態によれば、動画の撮影中のシャッター操作に基づいて取得された静止画データが失敗データであるか否かが判定され、失敗データである場合に、静止画の撮影に失敗したことがユーザに通知される。よって、ユーザは、静止画を撮影した後、速やかに撮影の失敗に気付くことができる。
【００８９】
さらに、本実施の形態によれば、動画の撮影が終了した後、その動画の動画データから、失敗データの撮影タイミングに近い、撮影に失敗していない静止画データが候補データとして抽出され、ユーザに提示される。そして、ユーザによる選択操作に基づいて、提示された候補データが、失敗データに替わり、静止画記憶部１２ｂに記憶される。よって、ユーザは、静止画を撮影し直すことなく、撮影に失敗した静止画に近いシーンの静止画を得ることができる。
【００９０】
さらに、本実施の形態によれば、撮影停止操作に基づいて動画の録画が終了すると、自動的に画像提示処理が開始される。よって、ユーザは、画像提示処理を開始するための操作を逐一行う必要がなく、容易に、失敗データを候補データに置き換えることができる。
【００９１】
さらに、本実施の形態によれば、画像提示画面１０９により、候補データだけでなく失敗データも提示されるので、ユーザは、失敗データよりも望まれる候補データがない場合に、失敗データを、正規の静止画データとして、静止画記憶部１２ｂに記憶できる。
【００９２】
以上、本発明の実施の形態について説明したが、本発明は、上記実施の形態等によって何ら制限されるものではなく、また、本発明の実施の形態も、上記以外に種々の変更が可能である。
【００９３】
＜変更例＞
図９は、本変更例に係る、同時撮影機能の制御処理を示すフローチャートである。図１０（ａ）および（ｂ）は、本変更例に係る、同時撮影機能の制御処理が実行されたときにディスプレイ３に表示される画面の表示例を示す図である。
【００９４】
図９の制御処理では、図５の制御処理に対し、ステップＳ１０８およびステップＳ１０９の処理が削除され、ステップＳ１１１ないしステップＳ１１５の処理が追加されている。
【００９５】
本変更例では、制御部１１は、ステップＳ１０６において、失敗データを静止画記憶部１２ｂに記憶させると、次に、記憶された失敗データに対応する失敗アイコン１１９をディスプレイ３に表示させる（Ｓ１１１）。図１０（ａ）に示すように、失敗データが静止画記憶部１２ｂに記憶される度に、その失敗データに対応する失敗アイコン１１９がディスプレイ３に表示される。
【００９６】
制御部１１は、動画の撮影が終了されなければ（Ｓ１０７：ＮＯ）、ディスプレイ３上に失敗アイコン１１９が存在するか否かを判定する（Ｓ１１２）。失敗アイコン１１９が存在する場合（Ｓ１１２：ＹＥＳ）、制御部１１は、失敗アイコン１１９に対してタッチ操作がなされたか否かを判定する（Ｓ１１３）。タッチ操作がなされると（Ｓ１１３：ＹＥＳ）、制御部１１は、動画の撮影を終了し（Ｓ１１４）、画像提示処理を開始する（Ｓ１１５）。
【００９７】
タッチ操作がなされた失敗アイコン１１９に対応する失敗データが読み出されるとともに、失敗データと置換え可能な候補データが抽出され、図１０（ｂ）に示すように、原画像１１０と候補画像１１１とを含む画像提示画面１０９がディスプレイ３に表示される。本変更例では、画像提示処理の対象となる失敗データは一つとなるため、画像提示画面１０９には、送りアイコン１１５および戻しアイコン１１６は含まれない。よって、画像提示処理において、ステップＳ２１４ないしステップＳ２１７の処理は実行されない。
【００９８】
停止アイコン１０７による撮影停止操作がなされることにより、Ｓ１０７において、動画の撮影が終了したと判定した場合（Ｓ１０７：ＹＥＳ）、制御部１１は、失敗データの有無に係わらず、画像提示処理を実行することなく、同時撮影機能の制御処理を終了する。失敗データが存在していても、画像提示画面１０９に移行されることなく、ディスプレイ３の表示が、図４（ａ）のスルー画像１０４ａを含む撮影画面１０４に戻る。
【００９９】
停止操作に基づいて動画の撮影が停止された後、カメラのアプリケーションが終了された場合、失敗データ、即ち、撮影に失敗した静止画が残されたままとなり得る。
【０１００】
そこで、本変更例では、撮影に失敗した静止画が残された状態でカメラのアプリケーションが終了した場合に、通知バー１０２に対する操作に基づいて画像提示処理が実行される機能が、携帯電話機１に備えられている。
【０１０１】
図１１（ａ）ないし（ｃ）は、本変更例に係る、通知バー１０２に対する操作に基づいて画像提示処理が実行される機能について説明するための図である。
【０１０２】
図１１（ａ）に示すように、適宜のアプリケーションの実行画面１２０がディスプレイ３に表示された状態において、制御部１１は、失敗データが残されている場合、失敗データ毎に、失敗データの存在を通知する失敗通知アイコン１２１を通知バー１０２上に表示させる。ユーザにより、通知バー１０２を下げるようなスライド操作がなされると、図１１（ｂ）に示すように、制御部１１は、通知一覧画面１２２をディスプレイ３に表示させる。通知一覧画面１２２は、各失敗データに対応する表示欄１２３を含む。何れかの表示欄１２３に対するタッチ操作がなされると、制御部１１は、図６の画像提示処理を実行し、タッチ操作がなされた表示欄１２３に対応する失敗データを読み出すとともに、失敗データと置換え可能な候補データを抽出して、図１１（ｃ）に示すように、原画像１１０と候補画像１１１とを含む画像提示画面１０９をディスプレイ３に表示させる。その後、制御部１１は、ユーザの操作に従って画像提示処理を進める。画像提示処理の対象となる失敗データは一つとなるため、画像提示画面１０９には、送りアイコン１１５および戻しアイコン１１６は含まれない。よって、画像提示処理において、ステップＳ２１４ないしステップＳ２１７の処理は実行されない。
【０１０３】
本変更例によれば、静止画の撮影が失敗である場合に、ディスプレイ３に失敗アイコン１１９が表示され、当該失敗アイコン１１９に対するタッチ操作がなされると、動画の撮影が終了されるとともに、画像提示処理が実行される。一方、停止アイコン１０７による撮影停止操作により動画の撮影が終了された場合には、失敗データが存在していても、画像提示処理が実行されない。よって、ユーザは、失敗アイコン１１９を操作することにより、動画の撮影終了後、速やかに、失敗した静止画を失敗のない静止画に置き換えることができるとともに、直ちに置換えが必要ない場合には、撮影停止操作を行うことにより、速やかに次の動画の撮影を開始することができる。
【０１０４】
さらに、本変更例によれば、失敗した静止画が残っている場合に、ユーザは、通知バー１０２を操作することにより、画像提示画面１０９をディスプレイ３に表示させて、失敗した静止画を失敗のない静止画に置き換えることができる。
【０１０５】
＜その他の変更例＞
上記実施の形態では、動画撮影中にシャッター操作がなされると、撮影中の動画を構成する一つの静止画フレームが、動画撮影中に撮影された静止画として切り出される。しかしながら、撮影部２０の性能上可能であれば、シャッター操作がなされたときに、撮影部２０が、静止画フレームと静止画フレームとの間のタイミングにおいて新たに静止画を撮影し、その静止画を制御部１１へ出力するような構成が採られても良い。
【０１０６】
また、上記実施の形態では、失敗条件として、失敗条件１ないし失敗条件５の５つの失敗条件が例示されたが、上記５つの失敗条件以外の失敗条件が用いられても良い。
【０１０７】
さらに、変更例１では、動画の撮影中において、撮影に失敗した静止画データ（失敗データ）に対応する失敗アイコン１１９がディスプレイ３に表示される。しかしながら、図１２（ａ）に示すように、失敗アイコン１１９に加えて、撮影に成功した静止画データに対応する成功アイコン１２４が、ディスプレイ３に表示されても良い。この場合、成功アイコン１２４に対するタッチ操作がなされると、図１２（ｂ）に示すように、撮影に成功した静止画１２５ａを含む閲覧画面１２５が、制御部１１によってディスプレイ３に表示される。
【０１０８】
さらに、上記実施の形態において、撮影の成功および失敗に係わらず、動画撮影中に撮影された静止画と置換え可能な静止画を動画の撮影後に提示する画像提示機能が、携帯電話機１に備えられても良い。
【０１０９】
図１３は、画像提示機能の制御処理を示すフローチャートである。画像提示機能の制御処理は、動画の撮影が終了した後に自動的に、あるいは、所定の操作に基づいて、制御部１１により実行される。図１３のフローチャートに示すとおり、画像提示機能の制御処理は、処理の対象が失敗データでなく、動画の撮影中に取得された全ての静止画データである点を除いて、図６の画像提示処理と同様である。よって、ここでは、画像提示機能の制御処理についての説明を省略する。ユーザは、画像提示機能を利用することにより、最初に撮影した静止画を、適宜、気に入った静止画に置き換えることができる。
【０１１０】
さらに、上記実施の形態では、ディスプレイ３に通知ウィンドウ１０８が表示されることにより、静止画の撮影に失敗したことが外部に報知される。しかしながら、外部への報知手段は、これに限られるものではなく、たとえば、外部スピーカ７からの音声やビープ音により、静止画の撮影に失敗したことが報知されても良い。
【０１１１】
さらに、上記実施の形態では、スマートフォン型の携帯電話機に本発明が適用されている。しかしながら、これに限らず、ストレート式、折りたたみ式、スライド式等、他のタイプの携帯電話機に本発明が適用されても良い。
【０１１２】
さらに、本発明は、携帯電話機に限られず、ＰＤＡ（Personal DigitalAssistant）、タブレットＰＣ（Tablet PC）等、種々のカメラ付きの携帯端末装置に適用可能である。さらに、本発明は、デジタルカメラおよびデジタルビデオカメラに適用可能である。すなわち、本発明は、各種の撮影機能を有する機器に適用可能である。
【０１１３】
この他、本発明の実施形態は、特許請求の範囲に示された技術的思想の範囲内において、適宜、種々の変更が可能である。
【符号の説明】
【０１１４】
３  ディスプレイ
４  タッチパネル
１１  制御部
１２  記憶部
１２ａ  動画記憶部
１２ｂ  静止画記憶部
１３  画像出力部
１４  タッチ検出部
２０  撮影部
２１  加速度検出部
【図１】
2015188136.tif 000003
【図２】
2015188136.tif 000004
【図３】
2015188136.tif 000005
【図４】
2015188136.tif 000006
【図５】
2015188136.tif 000007
【図６】
2015188136.tif 000008
【図７】
2015188136.tif 000009
【図８】
2015188136.tif 000010
【図９】
2015188136.tif 000011
【図１０】
2015188136.tif 000012
【図１１】
2015188136.tif 000013
【図１２】
2015188136.tif 000014
【図１３】
2015188136.tif 000015